(57)【要約】【課題】ＧＰＳ及び通話圏内からＧＰＳ圏外または通話圏外に亘って、位置情報および周辺情報をシームレスに取得可能な手段を提供する。【解決手段】携帯電話１０が携帯電話基地局３０と通信可能な通話圏内においては、この携帯電話１０と、通話圏内時に通信事業者が提供する位置情報サービスサーバ２０と、基地局３０と、携帯電話１０のＧＰＳ受信機能によりＧＰＳ衛星４０から受信したＧＰＳ信号とにより、位置情報および周辺情報取得システムを構成し、携帯電話１０が携帯電話基地局３０と通信不可能な通話圏外においては、携帯電話１０と、通話圏外のサービス対象エリア内に所定間隔で設置されて周辺地図コンテンツ等を短距離無線通信により送信可能なＢＴビーコン装置５０とにより、位置情報および周辺情報提供システムを構成する。【選択図】図１
2010130661.tif 000002
【特許請求の範囲】
【請求項１】
基地局経由で通信を行う移動通信機能、ＧＰＳ受信機能、および短距離離無線通信機能を備えた携帯通信端末と、前記基地局経由で前記携帯通信端末に当該端末が位置する周辺の情報を提供する位置情報サービスサーバと、前記基地局の通信圏外エリアに所定間隔で設置されてその設置位置および該設置位置周辺の情報を短距離無線通信により提供する複数の短距離無線通信装置とからなり、
前記携帯通信端末は、自端末が基地局通信圏内であってＧＰＳ受信可能なとき、前記ＧＰＳ受信機能により取得したＧＰＳデータを前記位置情報サービスサーバに送信することにより自端末が位置している周辺情報を要求する手段と、前記位置情報サービスサーバから受信した前記周辺情報を表示部に表示する手段と、自端末が基地局通信圏内であってＧＰＳ受信不可能なとき、前記基地局データを前記位置情報サービスサーバに送信することにより基地局周辺情報を要求する手段と、前記位置情報サービスサーバから受信した前記基地局の周辺情報を表示する手段と、自端末が基地局通信圏外に位置しているとき、前記短距離無線通信装置にアクセスして自端末が位置している周辺情報の送信を要求する手段と、前記短距離無線通信装置から受信した前記設置位置周辺の情報を表示部に表示する手段と、
を備えていることを特徴とする位置情報および周辺情報提供システム。
【請求項２】
前記短距離無線通信装置は、前記携帯通信端末に提供する前記設置位置および該設置位置周辺の情報を記憶する記憶部と、前記設置位置および該設置位置周辺の情報を前記短距離無線通信によりメンテナンス端末から受信して前記記憶部へ書込みまたは更新する手段と、前記携帯通信端末から前記短距離無線通信により前記周辺情報の提供要求を受信したとき、前記記憶部に記憶された前記設置位置および該設置位置周辺の情報を前記短距離無線通信により前記携帯通信端末へ送信する手段と、を備えていることを特徴とする請求項１に記載の位置情報および周辺情報提供システム。
【請求項３】
前記短距離無線通信手段として、Bluetooth（登録商標）通信手段を備えていることを特徴とする請求項１または２に記載の位置情報および周辺情報提供システム。
【請求項４】
請求項１〜３の何れか１項に記載の位置情報および周辺情報提供システムに用いられる前記携帯通信端末であって、自端末が基地局通信圏内であってＧＰＳ受信可能なとき、前記ＧＰＳ受信機能により取得したＧＰＳデータを前記位置情報サービスサーバに送信することにより自端末が位置している周辺情報を要求する手段と、前記位置情報サービスサーバから受信した前記周辺情報を表示部に表示する手段と、自端末が基地局通信圏内であってＧＰＳ受信不可能なとき、前記基地局データを前記位置情報サービスサーバに送信することにより基地局周辺情報を要求する手段と、前記位置情報サービスサーバから受信した前記基地局の周辺情報を表示する手段と、自端末が基地局通信圏外に位置しているとき、前記短距離無線通信装置にアクセスして自端末が位置している周辺情報の送信を要求する手段と、前記短距離無線通信装置から受信した前記設置位置周辺の情報を表示部に表示する手段と、を備えていることを特徴とする携帯通信端末。
【請求項５】
請求項１〜３の何れか１項に記載の位置情報および周辺情報提供システムに用いられる前記短距離無線通信装置であって、前記携帯通信端末に提供する前記設置位置および該設置位置周辺の情報を記憶する記憶部と、前記設置位置および該設置位置周辺の情報を前記短距離無線通信によりメンテナンス端末から受信して前記記憶部へ書込みまたは更新する手段と、前記携帯通信端末から前記短距離無線通信により前記周辺情報の提供要求を受信したとき、前記記憶部に記憶された前記設置位置および該設置位置周辺の情報を前記短距離無線通信により前記携帯通信端末へ送信する手段と、を備えていることを特徴とする短距離無線通信装置。
【請求項６】
携帯通信端末に備えられたコンピュータを、該端末が有しているＧＰＳ受信機能によりＧＰＳデータを取得する手段、該端末が基地局通信圏内であってかつ前記ＧＰＳデータが取得されたとき、該取得したＧＰＳデータを位置情報サービスサーバに送信することにより自端末が位置している周辺情報を要求する手段、前記位置情報サービスサーバから受信した前記自端末が位置している周辺情報を表示部に表示する手段、該端末が基地局通信圏内であって前記ＧＰＳ受信が不可能なとき、前記基地局の位置データを前記位置情報サービスサーバに送信することにより前記基地局の周辺情報を要求する手段、前記位置情報サービスサーバから受信した前記基地局の周辺情報を表示する手段、自端末が基地局通信圏外のとき該端末が有している短距離無線通信機能を起動し、短距離無線通信装置にアクセスして周辺情報の送信を要求する手段、前記短距離無線通信装置から受信した該短距離無線通信装置が位置している周辺情報を表示部に表示する手段、として機能させるためのプログラム。
【請求項７】
短距離無線通信装置に備えられたコンピュータを、当該短距離無線通信装置の設置位置および該設置位置周辺情報を短距離無線通信によりメンテナンス端末から受信して記憶部へ書込みまたは更新する手段、携帯通信端末から前記短距離無線通信により前記設置位置および該設置位置周辺情報の提供要求を受信したとき、前記記憶部に記憶された前記設置位置および該設置位置周辺の情報を前記短距離無線通信により前記携帯通信端末へ送信する手段、として機能させるためのプログラム。
【発明の詳細な説明】
【技術分野】
【０００１】
本発明は、ＧＰＳ受信機能を備えた携帯電話機等の携帯通信端末を用いて経路案内サービス等を提供する技術に関する。
【背景技術】
【０００２】
携帯電話による経路案内サービスは普及しており、利便性も向上している。例えば特許文献１〜２等において提案されている技術では、ＧＰＳ受信機能を備えた携帯電話端末が複数のＧＰＳ衛星から送信されるＧＰＳ信号を受信することにより取得した自端末の位置情報を基地局経由で地図情報提供サーバに送信し、地図情報提供サーバから基地局経由で自端末が位置している周辺の地図情報を受信して自端末の表示画面上に表示させ、歩行者が自端末の表示画面上に表示された地図を見ながら目的地に到達できるようにしている。
【０００３】
【特許文献１】特開２００２−２７７２７７号公報
【特許文献２】特開２００３−０２８６６２号公報
【発明の開示】
【発明が解決しようとする課題】
【０００４】
特許文献１〜２に記載の経路案内サービスシステムでは、携帯電話端末が備えているＧＰＳ機能により自端末の位置情報を取得し、該取得した位置情報を基地局経由でインターネット上の地図情報提供サーバにアクセスして、自端末が位置している周辺の地図情報を取得する構成であるので、携帯電話端末が、例えば国立公園内などの山間部で基地局との通信が不可能な通話圏外に位置している場合、あるいはＧＰＳ信号の受信が困難な場所に位置している場合には、経路案内サービスを受けることができないという問題がある。
【０００５】
通信事業者によるサービスは事業者側の意向でエリアが決定され、また国立公園等においては景観への影響から基地局の設置条件が厳しいこともありサービスエリアを改善するには時間がかかる。また、自然遊歩道等に携帯電話を使える場所がいくつかある場合、それらの場所に観光案内所を設置して情報提供しているが、遊歩道を歩行中の来訪者に対して案内する手段がなかった。そのため通話圏外では、案内所等が発行する紙ベースのイラストマップを利用し遊歩道等を散策するにとどまっている。
【０００６】
本発明の目的は、上述した課題を解決し、ＧＰＳ及び通話圏内からＧＰＳ圏外または通話圏外に亘って、位置情報および周辺情報をシームレスに取得可能な手段を提供することにある。
【課題を解決するための手段】
【０００７】
本発明の位置情報、周辺情報提供システムは、基地局経由で通信を行う移動通信機能、ＧＰＳ受信機能、および短距離離無線通信機能を備えた携帯通信端末と、前記基地局経由で前記携帯通信端末に当該端末が位置する周辺の情報を提供する位置情報サービスサーバと、前記基地局の通信圏外エリアに所定間隔で設置されてその設置位置および該設置位置周辺の情報を短距離無線通信により提供する複数の短距離無線通信装置とからなり、前記携帯通信端末は、自端末が基地局通信圏内であってＧＰＳ受信可能なとき、前記ＧＰＳ受信機能により取得したＧＰＳデータを前記位置情報サービスサーバに送信することにより自端末が位置している周辺情報を要求する手段と、前記位置情報サービスサーバから受信した前記周辺情報を表示部に表示する手段と、自端末が基地局通信圏内であってＧＰＳ受信不可能なとき、前記基地局データを前記位置情報サービスサーバに送信することにより基地局周辺情報を要求する手段と、前記位置情報サービスサーバから受信した前記基地局の周辺情報を表示する手段と、自端末が基地局通信圏外に位置しているとき、前記短距離無線通信装置にアクセスして自端末が位置している周辺情報の送信を要求する手段と、前記短距離無線通信装置から受信した前記設置位置周辺の情報を表示部に表示する手段と、を備えていることを特徴とする。
【０００８】
本発明の位置情報、周辺情報提供システムに用いられる携帯通信端末は、自端末が基地局通信圏内であってＧＰＳ受信可能なとき、前記ＧＰＳ受信機能により取得したＧＰＳデータを前記位置情報サービスサーバに送信することにより自端末が位置している周辺情報を要求する手段と、前記位置情報サービスサーバから受信した前記周辺情報を表示部に表示する手段と、自端末が基地局通信圏内であってＧＰＳ受信不可能なとき、前記基地局データを前記位置情報サービスサーバに送信することにより基地局周辺情報を要求する手段と、前記位置情報サービスサーバから受信した前記基地局の周辺情報を表示する手段と、自端末が基地局通信圏外に位置しているとき、前記短距離無線通信装置にアクセスして自端末が位置している周辺情報の送信を要求する手段と、前記短距離無線通信装置から受信した前記設置位置周辺の情報を表示部に表示する手段と、を備えていることを特徴とする。
【０００９】
本発明の位置情報、周辺情報提供システムに用いられる短距離無線通信装置は、前記携帯通信端末に提供する前記設置位置および該設置位置周辺の情報を記憶する記憶部と、前記設置位置および該設置位置周辺の情報を前記短距離無線通信によりメンテナンス端末から受信して前記記憶部へ書込みまたは更新する手段と、前記携帯通信端末から前記短距離無線通信により前記周辺情報の提供要求を受信したとき、前記記憶部に記憶された前記設置位置および該設置位置周辺の情報を前記短距離無線通信により前記携帯通信端末へ送信する手段と、を備えていることを特徴とする。
【００１０】
本発明のプログラムは、携帯通信端末に備えられたコンピュータを、該端末が有しているＧＰＳ受信機能によりＧＰＳデータを取得する手段、該端末が基地局通信圏内であってかつ前記ＧＰＳデータが取得されたとき、該取得したＧＰＳデータを位置情報サービスサーバに送信することにより自端末が位置している周辺情報を要求する手段、前記位置情報サービスサーバから受信した前記自端末が位置している周辺情報を表示部に表示する手段、該端末が基地局通信圏内であって前記ＧＰＳ受信が不可能なとき、前記基地局の位置データを前記位置情報サービスサーバに送信することにより前記基地局の周辺情報を要求する手段、前記位置情報サービスサーバから受信した前記基地局の周辺情報を表示する手段、自端末が基地局通信圏外のとき該端末が有している短距離無線通信機能を起動し、短距離無線通信装置にアクセスして周辺情報の送信を要求する手段、前記短距離無線通信装置から受信した該短距離無線通信装置が位置している周辺情報を表示部に表示する手段、として機能させることを特徴とする。
【００１１】
また本発明のプログラムは、短距離無線通信装置に備えられたコンピュータを、当該短距離無線通信装置の設置位置および該設置位置周辺情報を短距離無線通信によりメンテナンス端末から受信して記憶部へ書込みまたは更新する手段、携帯通信端末から前記短距離無線通信により前記設置位置および該設置位置周辺情報の提供要求を受信したとき、前記記憶部に記憶された前記設置位置および該設置位置周辺の情報を前記短距離無線通信により前記携帯通信端末へ送信する手段、として機能させることを特徴とする。
【発明の効果】
【００１２】
本発明では、地図コンテンツ等を短距離無線通信機能により提供可能なビーコン装置を、ネットワークに接続せずに設置し、短距離無線通信機能を備えた携帯電話に対して地図コンテンツを配信する仕組みを整備して、通話圏外での経路案内サービスを一定のエリア内（国立公園内など）のローカルインフラとして実現するとともに、通信事業者のインフラからの切り替えを同一アプリ上で自動的に実行可能としているので、通話圏内から通話圏外に亘って、シームレスな位置情報サービスを提供することができる。
【００１３】
また、短距離無線通信機能を利用した事業者免許を不要とする技術を使用し、その小電力通信等の特徴を生かして通信事業者インフラ（回線、サーバ等）に依存しないインフラを構築することができるので、パケット料金がかからないローカルなインフラを簡易的に実現することができる。
【発明を実施するための最良の形態】
【００１４】
図１は、本発明の実施形態を示す位置情報および周辺情報取得システムの概略図である。
【００１５】
図１において、本実施形態で用いられる携帯電話等の携帯通信端末１０は、基地局経由で通信を行う移動通信機能とともに、ＧＰＳ受信機能、および短距離無線通信手段としてBluetooth（登録商標：以下、ＢＴという）通信機能を備えており、また、本実施形態の位置情報サービスアプリが搭載されて使用可能に構成されている。
【００１６】
本実施形態の位置情報サービスアプリでは、携帯電話１０が携帯電話基地局３０と通信可能な通話圏内においては、この携帯電話１０と、通話圏内時に通信事業者が提供する位置情報サービスサーバ２０と、基地局３０と、携帯電話１０のＧＰＳ受信機能によりＧＰＳ衛星４０から受信したＧＰＳ信号とにより、位置情報および周辺情報取得システムを構成し、携帯電話１０が携帯電話基地局３０と通信不可能な通話圏外においては、携帯電話１０と、通話圏外のサービス対象エリア内に所定間隔で設置されて周辺地図コンテンツ等を短距離無線通信により送信可能なＢＴビーコン装置５０とにより、位置情報および周辺情報提供システムを構成する。
【００１７】
上記周辺地図コンテンツをＢＴビーコン装置５０へ格納（コンテンツの登録、更新）する操作は、観光案内所職員等が、短距離無線通信機能を備えたメンテナンス端末６０から、短距離無線通信によりＢＴビーコン装置５０へ上記周辺地図コンテンツを送信することにより行われる。
【００１８】
このＢＴ等ビーコン装置５０は国立公園等一定のエリアとして管理されている地域にローカルシステムとして配備されるものであり、配備されていることが利用者にパンフレットや旅行ガイド等を通じて、事前に知らされていることを前提としている。ＢＴ等ビーコン装置５０には設置場所周辺の位置情報コンテンツが同装置のメモリ部に格納されており、提供される地図データは、従来国立公園等来訪者向けに配布されているイラストマップや地元で作成されたウォーキングマップなどを画像化したものである。プロバイダー等が利用する市販の市街地図データ上の経路とイラストマップ等の経路を、連結点を設けることによりつなぎあわせ一体化した経路情報プラットフォームでサービスが提供される。
【００１９】
携帯電話１０は、利用者が通話圏内外を行き来しながら使用するものとし、通話圏内では通常の携帯電話等の利用に加え位置情報サービスアプリを用いて通信事業者が提供するサービスを利用し、通話圏外においては自治体の観光課等がＢＴ等ビーコン装置５０を用いて提供するサービスを利用する。サービスサーバ２０、基地局３０、ＧＰＳ４０は通信事業者等が整備し、管理する設備であり、既存の汎用サービスで日常的に利用されているものである。ＢＴ等ビーコン装置５０、メンテナンス端末６０はエリアを管轄する自治体の観光課等が設置するものである。
【００２０】
携帯電話１０はＢＴ等の通信がシリアルインタフェースにて可能な汎用的な端末であり、本実施形態の位置情報サービスアプリを実行中に、通話圏外あるいはＧＰＳ圏外であることを検出する圏外検出機能と、通話圏外検出時に自動的にＢＴビーコン装置５０へのアクセスを開始し、通信を確立し、通話圏外が検出された地点と、ＢＴビーコン装置５０の情報から現在位置を認識すると、ＢＴビーコン装置５０に格納されたエリアマップに切り替わって表示される。
【００２１】
ＢＴビーコン装置５０は、ＢＴによる小電力無線により通信可能な小規模サーバであり地図情報等コンテンツを格納することができ、半径約１０ｍ範囲をカバーする。ＢＴビーコン装置５０を、例えば２０ｍ間隔に遊歩道沿いなどに設置し、エリア内限定で経路案内などのサービスをインターネット経由することなくＢＴによる小電力無線ＮＷのみで提供することにより、パケット利用料、基本使用料等を発生させることなく観光案内サービス等が提供可能である。また、電気が通じていない場所ではＢＴビーコン装置５０用の電源として、太陽電池などの利用インターフェースが具備される。
【００２２】
図２は、本実施形態で用いられる携帯通信端末の機能ブロック図である。
【００２３】
本実施形態の携帯通信端末１０は、基地局３０経由で通信を行う移動通信機能有する通信回路部１１０と、該端末の位置情報を取得するためのＧＰＳ受信回路部１１２と、短距離無線通信手段としてのＢＴ（Bluetooth：登録商標）通信回路部１１４を備えている。
【００２４】
携帯通信端末１０の動作は、ＲＯＭ１０２に格納された各種プログラムを、ＣＰＵ１０１が読み出して実行することにより制御される。ＣＰＵ１０１は、バス１００を介して、通信回路部１１０、ＧＰＳ受信回路部１１２、ＢＴ通信回路部１１４、ＲＯＭ１０２、ＲＡＭ１０３、音声処理部１０４、表示制御部１０７、操作部１０９と接続され、これらの各部の動作を制御する。ＲＯＭ１０２は、ＣＰＵ１０１により実行されるプログラムおよびこれに付随したデータを記憶するメモリであり、ＲＡＭ１０３はＣＰＵ１０１の利用に供されるデータの一時保存領域や作業領域を提供するメモリである。
【００２５】
通信回路部１１０は、携帯電話の送受信処理を行うブロックであり、通話あるいはサービスサーバ２０からのサービス情報取得のためにアンテナ１１１介して無線により携帯電話基地局と接続される。音声処理部１０４は、マイク１０６から入力されたアナログ音声信号をデジタルデータに変換してバス１００に送出し、バス１００から入力されたデジタルデータをアナログ音声信号に変換して、スピーカ１０５へ出力する。
【００２６】
ＧＰＳ受信回路部１１２は、現在地情報としての緯度および経度を求めるためにＧＰＳ用衛星からの電波を、ＧＰＳアンテナ１１３を介して受信するブロックである。本実施形態では、ＧＰＳ受信回路部１１２で受信したＧＰＳ信号データは位置情報サービスサーバ２０に送られ、位置情報サービスサーバ２０がこのＧＰＳデータに基づいて携帯通信端末１０の位置（緯度・経度情報）を計算する構成としているが、携帯通信端末１０において位置（緯度・経度情報）を計算し、該計算した位置データを位置情報サービスサーバ２０に送信する方法でもよい。
【００２７】
ＢＴ通信回路部１１４は、ＢＴによる短距離無線通信ユニットであり、ＢＴアンテナ１１５を介して本実施形態のＢＴビーコン装置５０と無線により通信を行うブロックである。表示制御部１０７は例えば液晶ディスプレイからなる表示部１０８の表示制御を行うブロックである。操作部１０９は、テンキーや各種操作キーを含み、ユーザの入力指示を受け付けるブロックである。
【００２８】
バス１００は、ＣＰＵ１０１、通信回路部１１０、ＧＰＳ受信回路部１１２、ＢＴ通信回路部１１４、ＲＯＭ１０２、ＲＡＭ１０３、音声処理部１０４、表示制御部１０７、操作部１０９と接続され、ＣＰＵ１０１からこれらの任意のブロックへの制御信号の転送路、およびこれらの任意のブロック間のデータの転送路を提供する。
【００２９】
図３は、本実施形態で用いられるＢＴビーコン装置の機能ブロック図である。
【００３０】
ＢＴビーコン装置全体の動作はＣＰＵ２０１により制御される。ＣＰＵ２０１は、バス２００を介して、ＲＯＭ２０２、ＲＡＭ２０３、ＢＴ通信回路部２０４、当該ＢＴビーコン装置の現在地情報および当該ＢＴビーコン装置周辺の地図情報や案内情報を記憶する現在地情報および周辺情報記憶部２０６と接続され、これらの各ブロックの動作を制御する。
【００３１】
ＲＯＭ２０２は、ＣＰＵ２０１により実行されるプログラムおよびこれに付随したデータを記憶するメモリであり、ＲＡＭ２０３はＣＰＵ２０１の利用に供されるデータの一時保存領域や作業領域を提供するメモリである。ＢＴ通信回路部２０４は、携帯通信端末１０に設けられたＢＴ通信回路部１１４と同様の短距離無線通信ユニットであり、ＢＴアンテナ２０５を介して携帯端末１０のＢＴ通信回路部１１４との間、あるいはメンテナンス端末６０のＢＴ通信回路との間でＢＴによる短距離無線通信を行うブロックである。
【００３２】
図４は、本実施形態における携帯通信端末１０の動作を示すフローチャート、図５は、本実施形態における位置情報サービスサーバ２０の動作を示すフローチャート、図６は、本実施形態におけるＢＴビーコン装置５０の動作を示すフローチャートである。以下、図１〜図６を参照して本実施形態の動作について説明する。
【００３３】
利用者は携帯通信端末１０を用いて日常的に位置情報サービスを利用しているが、このしくみは通信事業者が提供する位置情報アプリケーションサービスであり、例えばサービスサーバ２０から経路案内アプリケーションをダウンロードし（Ｓ１）、位置情報サービスを利用するときにこの経路案内アプリケーションを立ち上げる（Ｓ２）。このアプリケーションはサードパーティのプロバイダーが提供するものであり、同プロバイダーが携帯各社の方式に対応するものを提供しているものとする。
【００３４】
通信回路部１１０により基地局３０と通信可能な通話圏内（Ｓ３，Ｙｅｓ）であって、かつＧＰＳ受信回路部１１２によりＧＰＳ信号の受信が可能である（Ｓ４，Ｙｅｓ）場合には、ＧＰＳ受信回路部１１２により受信されたＧＰＳデータを基地局３０経由でサービスサーバ２０に送信することにより当該端末１０の経路情報（関連した地図情報、属性情報）を要求し（Ｓ５）、この要求に対してサービスサーバ２０から基地局３０経由で提供された経路情報を受信し（Ｓ６）、該経路情報を端末１０の表示部１０８に表示する（Ｓ７）。
【００３５】
またＳ４において、ＧＰＳ信号の受信が不可能である場合（Ｓ４，Ｎｏ）には、位置登録中の基地局３０のデータを基地局３０経由でサービスサーバ２０に送信することにより、該基地局３０と関連した地図情報、属性情報を要求し（Ｓ８）、この要求に対してサービスサーバ２０から基地局３０経由で提供された地図情報、属性情報を受信し（Ｓ９）、該地図情報、属性情報を端末１０の表示部１０８に表示する（Ｓ１０）。
【００３６】
一方Ｓ３において、携帯通信端末１０が通話圏外である場合（Ｓ３，Ｎｏ）には、通話圏外検出をトリガーに同一アプリ上で自動的に基地局３０への通信を止めるとともに、ＢＴ通信回路部１１４を起動して（Ｓ１１）、ＢＴ等ビーコン装置５０の検索を開始する（Ｓ１２）。
【００３７】
最初のＢＴ等ビーコン装置５０が検出されると「圏外向けサービスに切り替えますか？」等のメッセージが携帯電話１０に表示され利用者は圏外向けサービスを受けるか否かを選択できる。利用者が「ＯＫ」を選択すると、携帯電話１０はＢＴ通信回路部１１４によりＢＴ等ビーコン装置５０との間で通信を確立し、ＢＴ等ビーコン装置５０から、当該ＢＴ等ビーコン装置５０の設置場所周辺の位置情報コンテンツを受信し（Ｓ１３）、該設置場所周辺の位置情報コンテンツを端末１０の表示部１０８に表示する（Ｓ１０）。この際サービスサーバ２０が提供する位置情報サービスからの切り替えはシームレスに実施される。
【００３８】
ＢＴ等ビーコン装置５０は指向性の低いＢＴ等を利用するため、移動しながらサービスを利用することが可能であり、例えば２０ｍ置きに設置された次のＢＴ等ビーコン装置５０に切り替わりながら継続して経路情報の提供が携帯電話１０に対して実施することができる。ＢＴ等ビーコン装置５０は８台の携帯端末までの同時接続に対応しており、また設置場所の状況により送信電力を制御することにより、隣接するエリアとの干渉が起こらないよう調整することが可能である。
【００３９】
またＢＴ等ビーコン装置５０が提供する位置情報コンテンツはサービスサーバ２０が提供するものとフォーマットは異なるがハイブリッドな関係にあるため、連続した位置情報サービスが提供される。また国立公園等のエリア内には通話圏外が多いものの、通話圏内となる場所が散在している。従来観光案内所等で紙の案内図により通話圏内スポットを紹介していたがＢＴ等ビーコン装置５０により事前に携帯電話１０に対して通話圏内の情報を提供することができる。携帯電話１０が再度通話圏内に入ると、携帯電話１０が圏内であることを検出し、サービスサーバ２０が提供する通信事業者による位置情報アプリケーションサービスがシームレスに提供される。
【００４０】
本実施形態のサービスサーバ２０の動作は、図５に示すように、携帯電話１０からＧＰＳデータが付加された経路情報（関連した地図情報、属性情報）要求を受信したとき（Ｓ２１，Ｙｅｓ）には、ＧＰＳデータから携帯電話１０が位置している緯度・経度を算出し、該緯度・経度情報に基づいて携帯電話１０の経路情報を生成し、基地局経由で携帯電話１０へ提供する（Ｓ２２）。また、携帯電話１０から基地局３０のデータが付加された周辺情報要求を受信したとき（Ｓ２３，Ｙｅｓ）には、基地局３０の周辺地図等の周辺情報を生成し、基地局経由で携帯電話１０へ提供する（Ｓ２４）。
【００４１】
また、本実施形態のＢＴビーコン装置５０の動作は、図６に示すように、予め、観光案内所職員等によりＢＴ等ビーコン装置５０との通信が可能なメンテナンス端末６０を用いて、ＢＴビーコン装置５０毎に、新規コンテンツ／設置（位置）ＩＤ、あるいは更新コンテンツの書き込み処理が行われ、これらの情報は、ＢＴビーコン装置５０の現在地情報／周辺情報記憶部２０６に格納される（Ｓ３１、Ｓ３２）。そして携帯電話１０のＢＴ通信回路部１１４から周辺情報要求を受信したとき、携帯電話１０との間で短距離無線通信を確立し、当該ＢＴ等ビーコン装置５０の設置場所周辺の位置情報コンテンツを携帯電話１０へ送信する（Ｓ３３、Ｓ３４）。
【００４２】
本実施形態によれば、例えば国立公園などに散在する通話圏外地帯においても地図を表示してナビゲーションが行えるように、通話圏外のエリアに、ＢＴ等の短距離無線通信により周辺エリア地図コンテンツ等を提供するビーコン装置５０を、所定間隔（２０ｍ程度）で設置し、通信事業者が提供する回線サービスに依存することなく、短距離無線通信機能を備えた携帯通信端末により周辺の地図情報を入手できるようにし、基地局ＮＷ圏外エリアに入った時点から、このＢＴビーコン装置５０による位置情報サービスに切り替え可能とすることにより、通常利用している位置情報サービスからの切替えをシームレスに実施することができる。
【００４３】
また、ＢＴビーコン装置５０から提供するコンテンツ等は、各ビーコン装置に夫々独立に格納される仕組みとなっており、コンテンツの入れ替え、書き換え等は観光案内所職員などがＢＴ対応携帯電話機等のメンテナンス端末６０を用いて現地で容易に実施できるので、所定間隔毎に設置されたＢＴビーコン装置にそれぞれ周囲の地図を格納し、該格納した地図情報を提供すれば、移動に伴って地図が切り替わっていく経路案内が可能となる。
【００４４】
特に携帯通信端末１０が通話圏外に入ったことを検知すると、同一アプリ上で、経路案内サービスに使用するインフラを通信事業者回線設備から自治体観光課等が設置したＢＴ等ビーコン装置へ自動的に切替えられるので、シームレスなナビゲーションサービスが提供可能となる。またエリア内に散在する通話圏内エリアの情報も提供できる。
【００４５】
さらに、ＢＴビーコン装置５０はネットワークにつながないため移設などにも柔軟に対応でき、しかも、通信事業者やＩＳＰなどの設備を必要としない構成であり、利用にあたって免許の取得も不要であるため、自治体の観光課等が地域独自の方針により比較的容易にサービスを立ち上げられる。またインターネットを経由しないためパケット通信料なども不要であり、ＢＴ等に対応した携帯電話を所持していれば無償にてサービスが受けられる。
【図面の簡単な説明】
【００４６】
【図１】本発明の実施形態を示す位置情報および周辺情報取得システムの概略図である。
【図２】本発明の実施形態で用いられる携帯通信端末の機能ブロック図である。
【図３】本発明の実施形態で用いられるＢＴビーコン装置の機能ブロック図である。
【図４】本実施形態における携帯通信端末１０の動作を示すフローチャートである。
【図５】本実施形態における位置情報サービスサーバ２０の動作を示すフローチャートである。
【図６】本実施形態におけるＢＴビーコン装置５０の動作を示すフローチャートである。
【符号の説明】
【００４７】
１０  携帯通信端末
２０  位置情報サービスサーバ
３０  携帯電話基地局
４０  ＧＰＳ衛星
５０  近距離無線通信装置（ＢＴビーコン装置）
６０  メンテナンス端末
１００、２００  バス
１０１，２０１  ＣＰＵ
１０２，２０２  ＲＯＭ
１０３，２０３  ＲＡＭ
１０４  音声処理部
１０５  スピーカ
１０６  マイク
１０７  表示処理部
１０８  表示部
１０９  操作部
１１０  通信回路部
１１１  アンテナ
１１２  ＧＰＳ受信回路部
１１３  ＧＰＳアンテナ
１１４，２０４  ＢＴ回路部
１１５，２０５  ＢＴアンテナ
２０６  現在地情報／周辺情報記憶部
【図１】
2010130661.tif 000003
【図２】
2010130661.tif 000004
【図３】
2010130661.tif 000005
【図４】
2010130661.tif 000006
【図５】
2010130661.tif 000007
【図６】
2010130661.tif 000008